(57)【要約】【課題】ケーブルを端子に容易に巻き付けることができるようにする。【解決手段】所定のピッチＰで配設された端子１０６にケーブル１０７を巻き付けて接続するためのケーブルの巻付工具１であって、ケーブル１０７の絶縁被覆１０７ｂが除去されることで露出される芯線部分１０７ａを押圧することにより保持する本体部３と、本体部３の一端部に設けられるとともに、本体部３に保持される芯線部分が引き出される口部１６とを備え、口部１６が端子１０６間に入って芯線部分１０７ａを端子１０６に巻き付けることができるように、口部１６の外径Ｄが端子１０６のピッチＰよりも小さく形成されている。【選択図】図１
2009277418.tif 000002
【特許請求の範囲】
【請求項１】
所定のピッチで配設された端子にケーブルを巻き付けて接続するためのケーブルの巻付工具であって、ケーブルの絶縁被覆が除去されることで露出される芯線部分を押圧することにより保持する本体部と、本体部の一端部に設けられるとともに、本体部に保持される芯線部分が引き出される口部とを備え、口部が端子と端子の間に入って芯線部分を巻き付け対象となる端子に巻き付けることができるように、口部の外径が端子のピッチよりも小さく形成されることを特徴とするケーブルの巻付工具。
【請求項２】
所定のピッチで配設された端子にケーブルを巻き付けて接続するための巻付工具であって、ケーブルを保持する本体部と、本体部の一端部に設けられるとともに、本体部に保持される芯線部分が引き出される口部と、本体部内に設けられるとともにケーブルの絶縁被覆を除去して芯線を露出させる絶縁被覆除去手段とを備え、口部が端子と端子の間に入って芯線部分を巻き付け対象となる端子に巻き付けることができるように、口部の外径が端子のピッチよりも小さく形成されることを特徴とするケーブルの巻付工具。
【請求項３】
請求項１に記載のケーブルの巻付工具を用いてケーブルを端子に巻き付けて接続するケーブルの接続方法であって、前記ケーブルの一部の絶縁被覆を除去して芯線部分を露出させ、露出した芯線部分を巻付工具の本体部内で保持するとともに、本体部によって芯線部分を保持する保持力よりも大きな力でケーブルを引っ張ることにより、芯線部分を巻付工具の口部から徐々に引き出しつつ、口部を巻き付け対象となる端子のまわりに周回させることで芯線部分を端子に巻き付けて接続することを特徴とするケーブルの接続方法。
【請求項４】
請求項２に記載のケーブルの巻付工具を用いてケーブルを端子に巻き付けて接続するケーブルの接続方法であって、前記ケーブルを本体部内で保持し、本体部によって芯線部分を保持する保持力よりも大きな力でケーブルを引っ張ることにより、絶縁被覆除去手段によってケーブルの絶縁被覆を除去しながら芯線部分を露出させ、露出した芯線部分を口部から徐々に引き出しつつ、口部を巻き付け対象となる端子のまわりに周回させることで芯線部分を端子に巻き付けて接続することを特徴とするケーブルの接続方法。
【発明の詳細な説明】
【技術分野】
【０００１】
本発明は、例えば、ケーブルを端子に巻き付けるための巻付工具およびケーブルを端子に巻き付けて接続するケーブルの接続方法に関する。
【背景技術】
【０００２】
従来、集合住宅、オフィスビル等の建物に通信線を配設する場合には、各階等の単位ごとに、図９に示すような中間配線盤１０１が設置される。中間配線盤１０１は、例えば、個宅の電話機等のアウトレット１０２と伝送装置のような主配線盤１０３との間を中継する。この中間配線盤１０１には、複数の配線接続用の端子板１０４が設けられている。各端子板１０４は、矩形状の基板１０５と、この基板１０５から突出するとともに所定のピッチで配設された複数の端子１０６を有する。
【０００３】
従来の中間配線盤１０１は、アウトレット１０２と主配線盤１０３とを接続する場合に、アウトレット１０２側に接続される端子板１０４の所定の端子１０６と、主配線盤１０３側に接続される端子板１０４の所定の端子１０６とをジャンパ線を介して接続し、各端子１０６とアウトレット１０２および主配線盤１０３とを多芯ケーブルによって接続する（例えば特許文献１の図８参照）。
【０００４】
各端子板１０４の端子１０６に対するジャンパ線、多芯ケーブル等のケーブル１０７の接続は、これらの絶縁被覆を除去して芯線部分を露出させ、芯線部分以外のケーブル１０７の一部を指でつまんで、この芯線部分を端子１０６に巻き付けるとともに、半田によって固着することにより行われる。
【特許文献１】特開２００８−２８４５７号公報
【発明の開示】
【発明が解決しようとする課題】
【０００５】
従来のように、ケーブルを指でつまんで端子１０６に巻き付ける場合には、端子板１０４の端子１０６のピッチが指よりも小さく構成されていることが多いことから、端子１０６にケーブルを巻き付け難く、端子１０６へのケーブルの接続作業に手間がかかっていた。
【０００６】
本発明は上記の事情に鑑みてなされたものであり、ケーブルを端子に容易に巻き付けることができるケーブルの巻付工具を提供することを課題とする。
【０００７】
また、本発明は、端子へのケーブルの接続作業を容易に行うことができるケーブルの接続方法を提供することを課題とする。
【課題を解決するための手段】
【０００８】
上記の課題を解決するために、本発明は、所定のピッチで配設された端子にケーブルを巻き付けて接続するためのケーブルの巻付工具であって、ケーブルの絶縁被覆が除去されることで露出される芯線部分を押圧することにより保持する本体部と、本体部の一端部に設けられるとともに、本体部に保持される芯線部分が引き出される口部とを備え、口部が端子と端子の間に入って芯線部分を巻き付け対象となる端子に巻き付けることができるように、口部の外径が端子のピッチよりも小さく形成されることを特徴とする。
【０００９】
かかる構成によれば、ケーブルの絶縁被覆を除去して芯線部分を露出させ、この露出した芯線部分を本体部によって保持し、本体部が芯線部分を保持する力よりも大きな力でケーブルを引っ張って、この芯線部分を口部から徐々に引き出すとともに、口部を端子のまわりに周回させることにより、芯線部分を対象となる端子に巻き付けることができる。このとき、口部の外径が端子のピッチよりも小さく形成されているので、この口部を所定のピッチで並ぶ端子の間に入れた状態で、この巻き付け作業を行うことができる。これにより、ケーブルの芯線部分を端子に容易に巻き付けることができる。
【００１０】
また、本発明は、所定のピッチで配設された端子にケーブルを巻き付けて接続するための巻付工具であって、ケーブルを保持する本体部と、本体部の一端部に設けられるとともに、本体部に保持される芯線部分が引き出される口部と、本体部内に設けられるとともにケーブルの絶縁被覆を除去して芯線を露出させる絶縁被覆除去手段とを備え、口部が端子と端子の間に入って芯線部分を巻き付け対象となる端子に巻き付けることができるように、口部の外径が端子のピッチよりも小さく形成されることを特徴とする。
【００１１】
かかる構成によれば、ケーブルを本体部で保持し、本体部がケーブルを保持する力よりも大きな力でケーブルを引っ張って、絶縁被覆除去手段を介して絶縁被覆を除去して芯線部分を露出させ、この芯線部分を口部から徐々に引き出しながら、対象となる端子のまわりを周回させることで、芯線部分を端子に巻き付けることができる。このとき、口部の外径が端子のピッチよりも小さくなっていることから、この口部を端子の間に入れて周回させることによって、芯線部分を端子に容易に巻き付けることができる。また、本体部内に設けられた絶縁被覆除去手段によって絶縁被覆を除去しながら巻き付け作業を行うことができるので、巻き付けに際し、予め絶縁被覆を除去する作業を省くことができ、これによって端子にケーブルを迅速に接続することができる。
【００１２】
また、本発明は、ケーブルの巻付工具を用いてケーブルを端子に巻き付けて接続するケーブルの接続方法であって、前記ケーブルの一部の絶縁被覆を除去して芯線部分を露出させ、露出した芯線部分を巻付工具の本体部内で保持するとともに、本体部によって芯線部分を保持する保持力よりも大きな力でケーブルを引っ張ることにより、芯線部分を巻付工具の口部から徐々に引き出しつつ、口部を巻き付け対象となる端子のまわりに周回させることで芯線部分を端子に巻き付けて接続することを特徴とする。
【００１３】
かかる構成によれば、ケーブルの絶縁被覆が除去されて露出した芯線部分を本体部で保持するとともに、この本体部が保持する力よりも大きな力でケーブルを引っ張ることによって、口部から芯線部分を徐々に引き出しながら、この口部を端子と端子の間に入れた状態で、巻き付け対象である端子のまわりを周回させて巻き付けて接続することによって、端子にケーブルを容易に接続できるようになる。
【００１４】
また、本発明は、ケーブルの巻付工具を用いてケーブルを端子に巻き付けて接続するケーブルの接続方法であって、前記ケーブルを本体部内で保持し、本体部によって芯線部分を保持する保持力よりも大きな力でケーブルを引っ張ることにより、絶縁被覆除去手段によってケーブルの絶縁被覆を除去しながら芯線部分を露出させ、露出した芯線部分を口部から徐々に引き出しつつ、口部を巻き付け対象となる端子のまわりに周回させることで芯線部分を端子に巻き付けて接続することを特徴とする。
【００１５】
かかる構成によれば、ケーブルを本体部で保持し、本体部がケーブルを保持する力よりも大きな力でケーブルを引っ張って、絶縁被覆除去手段を介して絶縁被覆を除去して芯線部分を露出させ、この芯線部分を口部から徐々に引き出しながら、巻き付け対象となる端子のまわりを周回させることで、芯線部分を端子に巻き付けることができる。このとき、口部の外径が端子のピッチよりも小さくなっていることから、この口部を端子の間に入れて周回させることによって、芯線部分を端子に容易に巻き付けることができる。また、本体部内に設けられた絶縁被覆除去手段によって絶縁被覆を除去しながら巻き付け作業を行うことができるので、巻き付けに際し、予め絶縁被覆を除去する作業を省くことができ、これによって、端子にケーブルを迅速に接続することができる。
【発明の効果】
【００１６】
本発明に係るケーブルの巻付工具によれば、ケーブルを端子に容易に巻き付けることができる。また、本発明に係るケーブルの接続方法によれば、端子へのケーブルの接続作業を容易に行うことができる。
【発明を実施するための最良の形態】
【００１７】
以下、本発明を実施するための最良の形態を、図面に基づき説明する。図１〜図４は本発明に係る巻付工具１の第１実施形態を示している。巻付工具１は、図９に示すような中間配線盤１０１の端子板１０４に配設された端子１０６にケーブル１０７を巻き付けるためのものである。端子板１０４には、所定のピッチＰで複数の端子１０６が配設されており、ケーブル１０７は、この複数の端子１０６のうちの２つを接続するジャンパ線として、あるいは、端子１０６と電話等のアウトレット１０２や主配線盤１０３といった接続対象との接続のために用いられる。なお、ケーブル１０７は、金属等の導電体から構成される芯線１０７ａを絶縁体からなる絶縁被覆１０７ｂで被覆したものである（図３参照）。なお、本実施形態では、芯線１０７ａが１本の単芯ケーブル１０７を例示するが、多芯ケーブルが用いられてもよい。
【００１８】
巻付工具１は、ケーブル１０７を押圧して保持する本体部３と、本体部３が保持するケーブル１０７の絶縁被覆１０７ｂを除去する絶縁被覆除去手段４とを備える。
【００１９】
本体部３は、透明または半透明な合成樹脂により長尺状の筒形状とされている。この本体部３は、第１本体部１１と、第２本体部１２と、この第１本体部１１と第２本体部１２を連結するヒンジ手段１３と、第１本体部１１を第２本体部１２に対して閉じた状態で固定する固定手段１４と、ケーブル１０７を押圧する押圧手段（押圧部材）１５と、この本体部３に保持されるケーブル１０７を本体部３内に挿入し、または、この本体部３から引き出し可能な口部１６とを備える。
【００２０】
第１本体部１１は、横断面視において、その外面が半円形に形成されている。同様に、第２本体部１２は、横断面視において、その外面が半円形に形成されている。第１本体部１１は、第２本体部１２に当接する状態（第１本体部１１を第２本体部１２に対して閉じた状態）で、固定手段１４によって固定される。第１本体部１１は、固定手段１４による固定が解除されると、第２本体部１２から離れるようにして開くことができる。このように、第１本体部１１は、第２本体部１２に対して開閉自在となっている。換言すれば、第２本体部１２も第１本体部１１に対して開閉自在となっている。
【００２１】
第１本体部１１には、押圧手段１５がスライド自在に挿通される挿通孔２１が形成されている。また、第１本体部１１には、その長手方向に沿って溝部（以下「第１溝部」という）２２が形成されている。第１溝部２２は、前記挿通孔２１と連通して形成されている。
【００２２】
第２本体部１２には、その長手方向に沿って溝部（以下「第２溝部」という）２３が形成されている。この第２溝部２３は、第１本体部１１を閉じた状態において、第１溝部２２と対向するように設けられている。この第２溝部２３には、ケーブル１０７が嵌め込まれるようになっている。この第２溝部２３の深さは、絶縁被覆１０７ｂを含むケーブル１０７の直径（外径）よりも小さくされていることが望ましい。これにより、第２溝部２３に嵌め込まれたケーブル１０７はその一部が第２溝部２３からはみ出ることになる。
【００２３】
押圧手段（押圧部材）１５には、例えば、合成樹脂によって成形された板状部材が用いられる。この押圧手段１５は、図１に示すように、その中途部が第１本体部１１の挿通孔２１にスライド自在に挿通されている。また押圧手段１５は、その一端部に、本体部３内に収められたケーブル１０７を押圧する押圧部（以下「第１押圧部」という）２４を有する。また、押圧手段１５は、その他端部に、第１本体部１１の外側に突出するとともに、巻付工具１の使用者の指等によって押圧される押圧部（以下「第２押圧部」という）２５を有する。また、押圧手段１５の中途部には、押圧手段１５が第１本体部１１の挿通孔２１から抜けはずれないようにする抜け止め突起部２６が形成されている。
【００２４】
第１押圧部２４は、図１、２に示すように、直方体状に構成されるとともに、第２本体部１２と対向する面（以下「下面」という）が、第２本体部１２に形成された第２溝部２３に嵌められたケーブル１０７に当接して押圧するようになっている。この第１押圧部２４の下面は、ケーブル１０７に当接したときに、このケーブル１０７の位置ずれを防止すべく、複数の突起部２７，２７，…を有する。各突起部２７，２７，…は、尖端状に形成され、第１押圧部２４の長手方向に所定のピッチで形成されている。また、この突起部２７は、第１溝部２２または第２溝部２３の長手方向に直行する方向に長尺状に形成されている。
【００２５】
第２押圧部２５は、図１に示すように、第１本体部１１の外面から突出しており、その端面が巻付工具１の使用者の指によって押されるようになっている。この押圧部の端面は側面視において円弧状に形成されている。
【００２６】
巻付工具１は、第２本体部１２の第２溝部２３にケーブル１０７が嵌り、第１本体部１１が閉じられた状態で、使用者の指で第２押圧部２５が押圧され、第１押圧部２４がケーブル１０７を押さえつけることによって、ケーブル１０７を保持できる。巻付工具１の使用者は、第２押圧部２５を押さえる力を加減することにより、第１押圧部２４がケーブル１０７を押圧する力を調節できる。
【００２７】
固定手段１４は、第１本体部１１に設けられた第１固定部２９と、第２本体部１２に設けられた第２固定部３０とを有する。第１固定部２９は、第１本体部１１の幅方向の一端部から鉤状に突出して形成されている。第２固定部３０は、第１固定部２９を係止すべく、第２本体部１２の幅方向の一端部から突出して形成されている。
【００２８】
巻付工具１は、第１本体部１１を第２本体部１２に対して閉じるときに、鉤状の第１固定部２９を第２固定部３０が係止することにより、第１本体部１１が閉じた状態を維持できるようになっている。また、巻付工具１は、第１本体部１１が閉じた状態において、第２固定部３０が第１固定部２９を係止する力よりも大きな力で第１本体部１１を開く方向に引っ張ることにより、この係止を解除することができる。
【００２９】
口部１６は、本体部３の長手方向の一端部に形成されている。この口部１６は、第１本体部１１を閉じた状態において、本体部３の中途部から長手方向の一端部に向かうにつれてその外径が徐々に小さくなるテーパ形状とされている。この口部１６は、その突端部１６ａが開放された開口部１６ｂが形成されており、この開口部１６ｂから本体部３内に保持されるケーブル１０７を引き出すことができるようになっている。
【００３０】
この口部１６は、図１、図２に示すように、第１本体部１１に形成された第１口部３１と、第２本体部１２に形成された第２口部３２とを有する。この第１口部３１は、その突端にまで前記第１溝部２２が連続状に形成されている。また、第２口部３２には、その突端にまで第２溝部２３が連続状に形成されている。
【００３１】
第２本体部１２には、第２溝部２３に嵌るケーブル１０７の長さが測れるように、その長手方向に沿って目盛り３５が設けられている。この目盛り３５は、第２切断刃の位置を０として、第２溝部２３に嵌められたケーブル１０７の第２切断刃からの長さを測定できるようになっている。
【００３２】
口部１６は、その基部（テーパの最も大きい部分）の太さ（図１に示す外径Ｄ）が端子１０６のピッチＰよりも小さく形成されており、この口部１６は、そのほぼ全体が端子１０６の間に入る太さになっている。
【００３３】
絶縁被覆除去手段４は、絶縁被覆１０７ｂを切除する第１切断刃３７と第２切断刃３８とを有する。第１切断刃３７および第２切断刃３８には、金属製の板形状のものが用いられている。第１切断刃３７は、第１本体部１１の第１溝部２２に設けられている。第２切断刃３８は、第２本体部１２の第２溝部２３に設けられている。第１切断刃３７と第２切断刃３８は、第１本体部１１を閉じたときに互いに対向するように配設されている。また、第１切断刃３７は、第１口部３１の位置に対応して設けられ、第２切断刃３８は、第２口部３２の位置に対応して設けられている。
【００３４】
第１本体部１１を閉じた状態では、第１切断刃３７の先端と第２切断刃３８の先端とが所定間隔離れた状態となる。このとき、第１切断刃３７の先端と第２切断刃３８の先端との間隔は、ケーブル１０７の芯線１０７ａの直径と同じか、またはこれよりも大きくされていることが望ましい。
【００３５】
以下、この巻付工具１を用いて端子１０６にケーブル１０７を接続する方法について説明する。
【００３６】
まず、第１本体部１１を開いた状態（第１本体部１１が固定手段１４によって固定されていない状態）で、端子１０６に接続させるケーブル１０７の一端部を第２溝部２３に嵌め込む。このとき、このケーブル１０７の絶縁被覆１０７ｂを除去する長さを決め、この長さを、第２本体部１２の目盛り３５によって測定する。このようにして、所定の長さのケーブル１０７を第２溝部２３に嵌めた後、固定手段１４によって第１本体部１１を第２本体部に固定して、第２本体部１２に対して閉じた状態にする。
【００３７】
このとき、絶縁被覆除去手段４の第１切断刃３７と第２切断刃３８がケーブル１０７の絶縁被覆１０７ｂに食い込んだ状態となる。ただし、この状態では、第１切断刃３７と第２切断刃３８は、ケーブル１０７の芯線１０７ａには達していない。
【００３８】
次に、本体部３を一方の手で握るとともに、押圧手段１５を指で押して本体部３内のケーブル１０７を保持する。そして、本体部３外に出ているケーブル１０７を他方の手で掴み、本体部３がケーブル１０７を保持している力よりも大きな力でケーブル１０７を引っ張り、ケーブル１０７を口部１６から引き出すようにする。
【００３９】
そうすると、ケーブル１０７は、第１切断刃３７と第２切断刃３８とによって絶縁被覆１０７ｂが除去され、本体部３内で芯線部分１０７ａが露出しながら、口部１６の突端部１６ａから引き出される。このとき、口部１６からは絶縁被覆１０７ｂが除去された芯線部分１０７ａのみが口部１６から引き出され、除去された絶縁被覆１０７ｂは、本体部３内に残る。
【００４０】
これにより、図３に示すように、絶縁被覆１０７ｂが除去されて露出した所定長さの芯線部分１０７ａが口部１６から引き出される。そして、この露出した所定長さの芯線部分１０７ａに環状部１０７ｃ（図４参照）を構成すべく、巻付工具１を操作する。芯線部分１０７ａに環状部１０７ｃが形成されると、図４に示すように、この環状部１０７ｃに巻き付け対象である端子１０６を挿通させる。
【００４１】
そして、本体部３の外側に出ているケーブル１０７の中途部を一方の手で掴んでテンションをかけながら、他方の手で本体部３を掴み、口部１６を端子１０６間に入れた状態で、対象となる端子１０６のまわりを周回させる。このとき、ケーブル１０７には所定のテンションがかかり、これによって、本体部３内で保持されているケーブル１０７部分には、芯線部分１０７ａが本体部３外に引き出されるような力が作用する。
【００４２】
本体部３内で保持されているケーブル１０７を本体部３外に引き出そうとする力が、押圧手段１５がケーブル１０７を押圧することにより生じる摩擦力と絶縁被覆除去手段４の第１切断刃３７と第２切断刃３８が絶縁被覆１０７ｂに食い込むことによる摩擦力との和（ケーブル１０７の保持力）よりも大きい場合、本体部３内のケーブル１０７は、口部１６から引き出される。
【００４３】
巻付工具１の使用者は、押圧手段１５の第２押圧部２５を押圧する指の力と、ケーブル１０７を外部に引き出そうとする力とを調節することにより、絶縁被覆除去手段４によってケーブル１０７の絶縁被覆１０７ｂを除去しながら、露出した芯線部分１０７ａを口部１６から徐々に引き出すことができる。
【００４４】
口部１６をケーブル１０７の巻き付け対象である端子１０６のまわりに周回させると、口部１６から徐々に引き出される芯線部分１０７ａがこの端子１０６に巻き付けられていく。本体部３内に保持されていたケーブル１０７が全て口部１６から引き出されて端子１０６に巻き付けられたときに、芯線部分１０７ａは端子１０６の長手方向に沿って螺旋状に巻き付けられる。これによって、端子１０６へのケーブル１０７の巻き付けが完了する。
【００４５】
その後、この端子１０６と、巻き付けられた芯線部分１０７ａとを半田によって固着する。これにより、ケーブル１０７の一端部の接続が完了し、ケーブル１０７の他端部を上記と同じ手順で別の端子１０６に接続したり、アウトレット１０２や主配線盤１０３等に接続したりすることにより、ケーブル１０７の接続作業が完了する。
【００４６】
以上説明した巻付工具１およびこれを用いたケーブル１０７の接続方法によれば、口部１６の太さ（外径Ｄ）が端子１０６のピッチＰよりも小さくされていることから、この口部１６を端子１０６と端子１０６の間に入れた状態で、端子１０６のまわりを周回させて芯線部分１０７ａを端子１０６に巻き付けることができるため、この巻き付け作業を容易かつ確実に行うことができるようになる。
【００４７】
特に、本体部３には、押圧手段１５が設けられていることから、この押圧手段１５によってケーブル１０７を押圧して保持し、この保持力よりも大きな力でケーブル１０７を口部１６から引き出すように引っ張ることで、常にケーブル１０７に適度なテンションを加えながら、その芯線部分１０７ａの端子１０６への巻き付けを行うことができる。これにより、ケーブル１０７の芯線部分１０７ａは、たるみ、ゆるみがない状態で端子１０６に確実に巻き付けられる。
【００４８】
また、本体部３内に絶縁被覆除去手段４が設けられていることから、ケーブル１０７を本体部３内に収容し、収納されたケーブル１０７を口部１６から引き出すように引っ張ることで、絶縁被覆１０７ｂを除去して芯線部分１０７ａを露出させながら口部１６から引き出すことができ、絶縁被覆１０７ｂを予め除去するといった手間を省略できる。これによって、ケーブル１０７の芯線部分１０７ａを容易かつ短時間で端子１０６に巻き付けることができるようになる。
【００４９】
さらに、第２本体部１２にはケーブル１０７の長さを測定できる目盛り３５が設けられていることから、端子１０６に巻き付けるために必要なケーブル１０７の長さを正確に測定し、ケーブル１０７を無駄なく有効に使用することができる。
【００５０】
また、巻付工具１は合成樹脂等の絶縁材料で構成されていることから、芯線部分１０７ａを端子１０６に巻き付ける際に、この巻付工具１が他の端子１０６に触れることによる短絡等を生じるおそれもない。
【００５１】
また、巻付工具１が透明または半透明の合成樹脂により構成されていることから、本体部３内に残存するケーブル１０７を確認しながら、巻き付け作業を行うことができる。したがって、端子１０６への巻き付けが終わるタイミング等を想定しながら芯線部分１０７ａを巻き付けることができるため、巻き付け終了が近づくにつれて、芯線部分１０７ａを引っ張る力を徐々に弱めながら巻き付けを行うことも可能である。これにより、ケーブル１０７が全て口部１６から引き出された際に、巻付工具１が端子１０６から大きく離れて他の端子１０６に衝突するということを防止できる。
【００５２】
図５は、巻付工具１の第２実施形態を示している。この第２実施形態に係る巻付工具１は、第１実施形態において本体部３に設けられていた絶縁被覆除去手段４を備えておらず、この点が第１実施形態と異なる。また、この第２実施形態では、ケーブル１０７を端子１０６に接続する接続方法が異なる。その他の構成は、第１実施形態と同じであり、第２実施形態が第１実施形態と共通する部分には、共通符号を付してその説明を割愛する。
【００５３】
以下、第２実施形態に係る巻付工具１を用いてケーブル１０７を端子１０６に接続する方法を説明する。まず、ケーブル１０７を本体部３に収容する前に、予めケーブル１０７の絶縁被覆１０７ｂをニッパ等の工具によって除去しておき、これによって露出した所定長さの芯線部分１０７ａを本体部３内に収容する。第２本体部１２の第２溝部２３は、その深さがこの芯線部分１０７ａの直径よりも小さくなっており、第２溝部２３に芯線部分１０７ａを嵌めたとき、その一部が第２溝部２３からはみ出るようになっている。本体部３に収容されたケーブル１０７の芯線部分１０７ａは、押圧手段１５によって押圧されることにより、本体部３に保持される。
【００５４】
その後、芯線部分１０７ａを口部１６から引き出して、第１実施形態と同様に環状部１０７ｃを作り、この環状部１０７ｃにケーブル１０７の巻き付け対象である端子１０６を挿通させる。そして、口部１６を端子１０６と端子１０６の間にいれた状態で、芯線部分１０７ａをこの口部１６から徐々に引き出しながら、対象となる端子１０６のまわりを周回させて巻き付ける。
【００５５】
巻き付けが終わると、この端子１０６と、巻き付けられた芯線部分１０７ａとを半田により固着する。これによって端子１０６に対するケーブル１０７の接続が完了する。このケーブル１０７の他端部と、他の端子１０６、アウトレット１０２、主配線盤１０３等との接続対象とを接続し、このケーブル１０７の接続作業が完了する。
【００５６】
第２実施形態に係る巻付工具１においても、第１実施形態と同様に、口部１６の太さ（外径Ｄ）が端子１０６のピッチＰより小さくされていることから、この口部１６を端子１０６と端子１０６の間に入れた状態で、芯線部分１０７ａを端子１０６に容易に巻き付けることができる。
【００５７】
図６は、巻付工具１の第３実施形態を示している。この第３実施形態に係る巻付工具１は、第１実施形態において示した板部材からなる押圧手段１５を備えていない。しかしながら、本体部３には、第１実施形態と同様な絶縁被膜除去手段が設けられている。具体的には、絶縁被覆除去手段４は、第１本体部１１の第１溝部２２に設けられる第１切断刃３７と、第２本体部１２の第２溝部２３に設けられる第２切断刃３８とを備える。
【００５８】
この第１切断刃３７と第２切断刃３８は、第１本体部１１を閉じたときに、その先端部同士が所定間隔離れており、この間隔は、ケーブル１０７（絶縁被覆１０７ｂを含む）の外径よりも小さく、かつ、ケーブル１０７の芯線１０７ａの直径と同じか、またはこれよりも大きくされている。
【００５９】
したがって、本体部３に収容されたケーブル１０７は、絶縁被覆除去手段４の第１切断刃３７と、第２切断刃３８とがケーブル１０７の絶縁被覆１０７ｂに食い込むこととなる。このとき、第１切断刃３７と第２切断刃３８が絶縁被覆１０７ｂに食い込むことにより、ケーブル１０７は本体部３内で保持される。
【００６０】
そして、ケーブル１０７が引っ張られて口部１６から引き出される際にも、第１切断刃３７と第２切断刃３８にケーブル１０７の絶縁被覆１０７ｂが掛かることで、ケーブル１０７に常にテンションを与えた状態で、芯線部分１０７ａを口部１６から引き出しながら、巻き付け対象となる端子１０６に巻き付けることができる。すなわち、絶縁被覆１０７ｂ手段は、本体部３に収容されたケーブル１０７を所定の保持力で保持する保持手段も兼ねている。
【００６１】
このように、絶縁被覆除去手段４の第１切断刃３７と第２切断刃３８がケーブル１０７を保持しながら、絶縁被覆１０７ｂを除去し、芯線部分１０７ａが露出しながら口部１６から引き出されるとともに、口部１６を端子１０６と端子１０６の間に入れた状態で、巻き付け対象となる端子１０６に巻き付けることにより、端子１０６に芯線部分１０７ａを容易に巻き付けることができる。
【００６２】
第３実施形態のその他の構成は、第１実施形態と同様であり、第３実施形態が第１実施形態と共通する部分には、共通符号を付してその説明を割愛する。
【００６３】
図７は、巻付工具１の第４実施形態を示している。この第４実施形態に係る巻付工具１は、本体部３および口部１６の構成が第２実施形態と異なる。
【００６４】
第４実施形態に係る巻付工具１では、本体部３の一端部に口部１６が形成され、他端部からケーブル１０７が突出させる構成となっている。すなわち、本実施形態では、ケーブル１０７の端部を完全に収容する構成になっていない。このようにすることで、ケーブル１０７の中途部の絶縁被覆１０７ｂを除去して芯線部分１０７ａを露出させた場合であっても、この巻付工具１を用いて芯線部分１０７ａを端子１０６に巻き付けて接続することができる。
【００６５】
なお、上述した第２実施形態では、本体部３が第１本体部１１と第２本体部１２の２つの部材がヒンジ手段１３によって連結された構成であったが、本実施形態では、本体部３は、第１本体部１１と第２本体部１２とが一体となった１つの部材として成形されている。したがって、この本体部３は、その一部が開閉自在とされた構成ではない。
【００６６】
また、本体部３の口部１６には、ケーブル１０７が挿通される挿通孔４０が形成され、本体部３の他端部には、ケーブル１０７を押圧する押圧手段１５が設けられている。この押圧手段１５は、第２実施形態と異なり、本体部３に一体に形成されるとともに、所定の力で押圧されることにより弾性変形することでケーブル１０７を押圧可能な押圧部（以下「第３押圧部」）４１とされている。本実施形態では、本体部３に複数（図例では２つ）の第３押圧部４１，４１が形成されている。
【００６７】
第３押圧部４１，４１は、口部１６の突出方向とは反対側の方向（後方）に突出する第１突出部４２と、この第１突出部４２に対してほぼ直行するとともに、本体部３内のケーブル１０７に向かって突出するとともにケーブル１０７に当接して押圧する第２突出部４３を有する。第１突出部４２は、その外面が使用者の指によって押圧されることによって弾性変形する。
【００６８】
また、第２突出部４３は、第１突出部４２が弾性変形することにより、口部１６の挿通孔４０に挿通されたケーブル１０７の芯線部分１０７ａに当接して押圧するようになっている。すなわち、本実施形態では、第２突出部４３が第２実施形態における押圧部材の第１押圧部２４に相当し、第１突出部４２が第２実施形態における第２押圧部２５に相当する。
【００６９】
第４実施形態に係る巻付工具１を用いてケーブル１０７を端子１０６に巻き付けて接続するには、まず、予めケーブル１０７の所定の部位の絶縁被覆１０７ｂを除去して芯線部分１０７ａを露出させ、この芯線部分１０７ａを巻付工具１の口部１６の挿通孔４０に挿通するともに、２つの第３押圧部４１，４１の間を通過させる。このとき、全ての芯線部分１０７ａを口部１６に挿入するのではなく、所定長さの芯線部分１０７ａを口部１６に挿入されないように残しておく。
【００７０】
そして、巻付工具１の使用者がこの本体部３を握るとともに、第１突出部４２を押圧して弾性変形させ、第２突出部４３をケーブル１０７の芯線部分１０７ａに当接させる。これにより、芯線部分１０７ａは、２つの第２突出部４３によって挟持され、本体部３に保持される。
【００７１】
次に、口部１６に挿入されずに残されていた芯線部分１０７ａによって、図４で示したような環状部１０７ｃを作り、この環状部１０７ｃに巻き付け対象である端子１０６を挿通する。そして、口部１６を端子１０６と端子１０６の間に入れた状態で、巻き付け対象となる端子１０６のまわりを周回させる。
【００７２】
このとき、芯線部分１０７ａに、押圧手段１５が芯線部分１０７ａを保持する保持力（第３押圧部４１の押圧力によって芯線部分１０７ａに作用する摩擦力）よりも大きな力を加えて引っ張ることにより、芯線部分１０７ａは適度なテンションが与えられた状態で、口部１６から徐々に引き出されていく。
【００７３】
本体部３に保持されていた芯線部分１０７ａが口部１６から全て引き出されて端子１０６に巻き付けられることにより、端子１０６への芯線部分１０７ａの巻き付け作業が完了する。その後、この端子１０６と、巻き付けられた芯線部分１０７ａとを半田で固着し、これによって、端子１０６へのケーブル１０７の接続作業が完了する。
【００７４】
第４実施形態のその他の構成は、第２実施形態と同様であり、第４実地形態が第２実施形態と共通する部分には、共通符号を付して、その説明を割愛する。
【００７５】
第４実施形態に係る巻付工具１によれば、他の実施形態と同様に、その太さ（外径Ｄ）が端子１０６のピッチＰよりも小さくされた口部１６を端子１０６と端子１０６の間に入れた状態で、口部１６からケーブル１０７の芯線部分１０７ａを徐々に引き出しながら、巻き付け対象となる端子１０６のまわりを周回させることにより、この端子１０６に芯線部分１０７ａを容易に巻き付けることができる。
【００７６】
また、本体部３には、押圧手段１５が設けられていることから、この押圧手段１５によってケーブル１０７を押圧して保持し、この保持力よりも大きな力でケーブル１０７を口部１６から引き出すように引っ張ることで、常にケーブル１０７に適度なテンションを加えながら、その芯線部分１０７ａの端子１０６への巻き付けを行うことができる。これにより、ケーブル１０７の芯線部分１０７ａは、たるみ、ゆるみがない状態で端子１０６に確実に巻き付けられる。
【００７７】
図８は、巻付工具１の第５実施形態を示している。この第５実施形態に係る巻付工具１は、第２実施形態と同様に、第１本体部１１と第２本体部１２がヒンジ手段１３（図示略）を介して連結され、第１本体部１１に第１溝部２２が形成され、第２本体部１２に第２溝部２３が形成されている。また、本体部３には、第２実施形態と同様に固定手段１４（図示略）が設けられている。この第５実施形態では、第４実施形態と同様に、本体部３の一端部に口部１６が形成され、他端部からケーブル１０７の端部が突出するように構成されている。
【００７８】
この第５実施形態では、押圧手段１５の構成が第２実施形態と異なる。押圧手段１５は、図８に示すように、第１溝部２２に設けられる押圧部（以下「第４押圧部」という）４６と、第２溝部２３に設けられる押圧部（以下「第５押圧部」という）４７とを有する。第４押圧部４６、および第５押圧部４７は、弾性ゴム等の弾性体により直方体状に構成されている。
【００７９】
第１溝部２２には、その長手方向に沿って所定の間隔をおいて複数（図例では３つ）の第４押圧部４６，４６，…が設けられている。また、第２溝部２３には、その長手方向に沿って所定の間隔をおいて複数（図例では３つ）の第５押圧部４７，４７，…が設けられている。また、第４押圧部４６と第５押圧部４７は、第１本体部１１を閉じたときに、互いに対向するように配置されている。本実施形態では、第１本体部１１を閉じたときに、この第４押圧部４６と第５押圧部４７とは互いに接するようになっている。
【００８０】
第５実施形態に係る巻付工具１を用いてケーブル１０７と端子１０６を接続するには、まず、ケーブル１０７の所定の部位の被覆を除去して芯線部分１０７ａを露出させ、この芯線部分１０７ａを第２本体部１２の第５押圧部４７に載せ、第１本体部１１を閉じて固定手段１４により固定する。このとき、芯線部分１０７ａが全て本体部３内に隠れないように、所定長さの芯線部分１０７ａを口部１６から突出した状態で残しておく。
【００８１】
第１本体部１１を第２本体部１２に固定すると、第１本体部１１の第４押圧部４６と、第２本体部１２の第５押圧部４７とがケーブル１０７の芯線部分１０７ａに当接し、芯線部分１０７ａは、この第４押圧部４６と第５押圧部４７とによって挟持（保持）される。この状態では、弾性体で構成された第４押圧部４６と第５押圧部４７は、芯線部分１０７ａの外形に応じて弾性変形し、その弾性復元力によって、芯線部分１０７ａを押圧する。
【００８２】
このようにして本体部３によって芯線部分１０７ａを保持した状態で、口部１６から突出して残されている芯線部分１０７ａを用いて図環状部１０７ｃを作り、この環状部１０７ｃに巻き付け対象となる端子１０６を挿通する。そして、口部１６を端子１０６と端子１０６の間に入れた状態で、対象となる端子１０６のまわりを周回させる。
【００８３】
このとき、本体部３が芯線部分１０７ａを保持する保持力（第４押圧部４６および第５押圧部４７の押圧力によって芯線部分１０７ａに作用する摩擦力）よりも大きな力を加えて芯線部分１０７ａを引っ張ることにより、芯線部分１０７ａは適度なテンションが与えられた状態で、口部１６から徐々に引き出されていく。
【００８４】
本体部３に保持されていた芯線部分１０７ａが口部１６から全て引き出されて端子１０６に巻き付けられることにより、端子１０６への芯線部分１０７ａの巻き付け作業が完了する。その後、この端子１０６と、巻き付けられた芯線部分１０７ａとを半田で固着し、これによって、端子１０６へのケーブル１０７の接続作業が完了する。
【００８５】
第５実施形態のその他の構成は、第２実施形態と同様であり、第５実地形態が第２実施形態と共通する部分には、共通符号を付して、その説明を割愛する。
【００８６】
第５実施形態に係る巻付工具１によれば、他の実施形態と同様に、その太さ（外径Ｄ）が端子１０６のピッチＰよりも小さくされた口部１６を端子１０６と端子１０６の間に入れた状態で、口部１６からケーブル１０７の芯線部分１０７ａを徐々に引き出しながら、巻き付け対象となる端子１０６のまわりを周回させることにより、この端子１０６に芯線部分１０７ａを容易に巻き付けることができる。
【００８７】
また、本体部３には、押圧手段１５が設けられていることから、この押圧手段１５によってケーブル１０７を押圧して保持し、この保持力よりも大きな力でケーブル１０７を口部１６から引き出すように引っ張ることで、常にケーブル１０７に適度なテンションを加えながら、その芯線部分１０７ａの端子１０６への巻き付けを行うことができる。これにより、ケーブル１０７の芯線部分１０７ａは、たるみ、ゆるみがない状態で端子１０６に確実に巻き付けられる。
【００８８】
なお、本発明は上記の実施形態に限らず、種々の変形・変更が可能である。
【００８９】
例えば、上記の実施形態では、絶縁被膜除去手段として第１切断刃３７と第２切断刃３８の２つの刃で絶縁被膜を除去する例を示したが、これに限らず、いずれか一方の刃のみをもって絶縁被膜を除去するようにしてもよい。この場合、例えば第１切断刃３７のみによって絶縁被膜を除去する場合には、第１切断刃３７とともにケーブル１０７を挟むことができるように、このケーブル１０７に当接可能な当接部を第２本体部１２に形成することが望ましい。また、第２切断刃３８のみによってケーブル１０７の絶縁被覆１０７ｂを除去する場合には、第１本体部１１に前記当接部を形成することが望ましい。
【００９０】
また、上記の第４実施形態では、２つの第３押圧部４１によって、ケーブル１０７を挟んで保持する例を示したが、いずれか１つの第３押圧部４１によって、ケーブル１０７を保持するようにしてもよい。この場合には、１つの第３押圧部４１と、この第３押圧部４１とともに、ケーブル１０７を挟持できるように当接する当接部を本体部３に形成することが望ましい。
【００９１】
また、上記の第５実施形態では、第４押圧部４６と第５押圧部４７とによってケーブル１０７を挟んで押圧する例を示したが、第４押圧部４６のみ、または第５押圧部４７のみでケーブル１０７を押圧して保持するようにしてもよい。例えば、第４押圧部４６のみによってケーブル１０７を保持する場合には、この第４押圧部４６とともにケーブル１０７を挟むことができるように当接する当接部を本体部３に形成することが望ましい。同様に、第５押圧部４７のみによってケーブル１０７を保持する場合には、第５押圧部４７とともにケーブル１０７を挟むことができるように当接する当接部を本体部３に形成すればよい。
【図面の簡単な説明】
【００９２】
【図１】第１実施形態に係る巻付工具の側面図である。
【図２】巻付工具を開いた状態を示す平面図である。
【図３】巻付工具からケーブルが引き出された状態を示す側面図である。
【図４】巻付工具を用いて端子にケーブルを巻き付ける手順を説明するための側面図である。
【図５】第２実施形態に係る巻付工具を開いた状態を示す平面図である。
【図６】第３実施形態に係る巻付工具を開いた状態を示す平面図である。
【図７】第４実施形態に係る巻付工具の断面側面図である。
【図８】第５実施形態に係る巻付工具の断面側面図である。
【図９】中間配線盤を示す斜視図である。
【符号の説明】
【００９３】
１…巻付工具、３…本体部、４…絶縁被覆除去手段、１１…第１本体部、１２…第２本体部、１３…ヒンジ手段、１４…固定手段、１５…押圧手段、１６…口部、１６ａ…突端部、１６ｂ…開口部、２１…挿通孔、２２…第１溝部、２３…第２溝部、２４…第１押圧部、２５…第２押圧部、２６…抜け止め突起部、２７…突起部、２９…第１固定部、３０…第２固定部、３１…第１口部、３２…第２口部、３５…目盛り、３７…第１切断刃、３８…第２切断刃、４０…挿通孔、４１…押圧部（第３押圧部）、４２…第１突出部、４３…第２突出部、１０１…中間配線盤、１０２…アウトレット、１０３…主配線盤、１０４端子板、１０５…基板、１０６…端子、１０７…ケーブル、１０７ａ…芯線（芯線部分）、１０７ｂ…絶縁被覆、１０７ｃ…環状部
【図１】
2009277418.tif 000003
【図２】
2009277418.tif 000004
【図３】
2009277418.tif 000005
【図４】
2009277418.tif 000006
【図５】
2009277418.tif 000007
【図６】
2009277418.tif 000008
【図７】
2009277418.tif 000009
【図８】
2009277418.tif 000010
【図９】
2009277418.tif 000011